(57)【要約】【課題】刃先部に付加される力及び食い込み量の調整が容易で、刃先部の滑りや逃げがなく安定した操作を行うことができるカッターナイフを提供することを目的とする。【解決手段】グリップ部を兼ねるカッター本体部２に刃体６をスライド可能に収納保持し、カッター本体部２の先端部３ａから上記刃体６の出幅調整が可能とされたカッターナイフ１において、上記カッター本体部１は、その下部に、手指を挿入し得る指環部５を備え、該指環部５の先側下辺部５ａは、刃体６の刃先部６ａを切断対象物ｍに宛がって切断操作する際、当該対象物ｍの表面を摺接し得るよう形成されていることを特徴とする。【選択図】図１
2008136844.tif 000002
【特許請求の範囲】
【請求項１】
グリップ部を兼ねるカッター本体部に刃体をスライド可能に収納保持し、カッター本体部の先端部から上記刃体の出幅調整が可能とされたカッターナイフにおいて、
上記カッター本体部は、その下部に、手指を挿入し得る指環部を備え、該指環部の先側下辺部は、刃体の刃先部を切断対象物に宛がって切断操作する際、当該対象物の表面を摺接し得るよう形成されていることを特徴とするカッターナイフ。
【請求項２】
請求項１に記載のカッターナイフにおいて、
前記指環部の先側下辺部は、該指環部の環状方向に沿って曲面状に形成されていることを特徴とするカッターナイフ。
【請求項３】
請求項１または2に記載のカッターナイフにおいて、
前記指環部の先側下辺部は、その断面形状が略平坦で、且つ該下辺部に繋がる両側辺部の少なくとも一方が該下辺部に対し略垂直に立ち上がった形状とされていることを特徴とするカッターナイフ。
【請求項４】
請求項１乃至請求項３のいずれかに記載のカッターナイフにおいて、
前記カッター本体部が、刃体をスライド可能に収納保持する金属製のホルダ部と、該ホルダ部に外装された合成樹脂の成型体からなるグリップ部とよりなり、前記指環部はこのグリップ部に一体に形成されていることを特徴とするカッターナイフ。
【発明の詳細な説明】
【技術分野】
【０００１】
本発明は、グリップ部を兼ねるカッター本体部に刃体をスライド可能に収納保持し、カッター本体部の先端部から上記刃体の出幅調整が可能とされたカッターナイフに関する。
【背景技術】
【０００２】
上記のようなカッターナイフとして特許文献１や特許文献２に開示されたものが知られている。これらのカッターナイフは、グリップ部を兼ねるカッター本体部と、このカッター本体部にスライド可能に収納保持される刃体と、刃体の刃先部をカッター本体部の先端部より適宜突出操作させる為のスライダーとを備えている。このようなカッターナイフは、刃体の刃先部をスライダーの操作によりカッター本体部の先端部より少許突出させ、カッター本体部を把持して、刃先部を切断対象物に斜めに宛がい、刃先部に力を集中させて切断対象物上を引くように移動させながら切断を行うものである。また、処理対象面に付着する塗料や異物を削ぎ取る為に用いられることもあり、このような使用態様にあっては、刃先部を寝かせ、刃先部の背部を除去対象に宛がい押し出すように使用される。
【特許文献１】特開平１１−２６７３７４号公報
【特許文献２】特開２００４−１９５０９３号公報
【発明の開示】
【発明が解決しようとする課題】
【０００３】
上記のようなカッターナイフを用いて切断操作する際、刃先部を切断対象物に斜めに宛がい引くように操作されるが、把持されるカッター本体部は宙に浮いた状態である為、刃先部の切断対象物に対する宛がい（食い込ませ）角度及び刃先部に作用する力が一定せず、また、刃先部の切断対象物に対する食い込み量の調整もし難く、安定した切断が出来ないことがある。特に、切断対象物の表面が硬く或いは滑り易い場合には、刃先部の滑りや逃げも起こり易い為、一層安定した切断が出来ないことがある。また、異物等を削ぎ取る為に前方に押し出すように操作する際には、カッター本体部より把持する手指が前方に滑り動き、刃先部に十分な力が付加されないことがある。
【０００４】
特許文献２に開示されたカッターナイフは、カッター本体部（把持柄）の基端部側に手指を差し入れることができる指環部を出没可能に備えている。この指環部はどのように用いられるものか定かではないが、切断操作の際に、切断対象物の表面に当接し操作のガイドをするものとは解されない。また、カッター本体部の先側部分には突起が形成されているが、これは把持した手の滑り止めと想像され、切断操作の際のガイドとなるものではないと解される。
【０００５】
本発明は、上記実情に鑑みなされたものであり、刃先部に付加される力及び食い込み量の調整が容易で、刃先部の滑りや逃げがなく安定した操作を行うことができるカッターナイフを提供することを目的としている。
【課題を解決するための手段】
【０００６】
本発明に係るカッターナイフは、グリップ部を兼ねるカッター本体部に刃体をスライド可能に収納保持し、カッター本体部の先端部から上記刃体の出幅調整が可能とされたカッターナイフにおいて、上記カッター本体部は、その下部に、手指を挿入し得る指環部を備え、該指環部の先側下辺部は、刃体の刃先部を切断対象物に宛がって切断操作する際、当該対象物の表面を摺接し得るよう形成されていることを特徴とする。
【０００７】
本発明において、前記指環部の先側下辺部が、該指環部の環状方向に沿って曲面状に形成されているものとすることができる。また、前記指環部の先側下辺部は、その断面形状が略平坦で、且つ該下辺部に繋がる両側辺部の少なくとも一方が該下辺部に対し略垂直に立ち上がった形状とされているものとすることもできる。更に、前記カッター本体部が、刃体をスライド可能に収納保持する金属製のホルダ部と、該ホルダ部に外装された合成樹脂の成型体からなるグリップ部とよりなり、前記指環部はこのグリップ部に一体に形成されているものとすることもできる。
【発明の効果】
【０００８】
本発明のカッターナイフは、カッター本体部の下部に手指を挿入し得る指環部を備えているから、カッター本体部の把持状態が安定し、使用時に不意に落下することがない。また、該指環部の先側下辺部が、切断対象物の表面を摺接し得るよう形成されているから、刃体の刃先部を切断対象物に宛がって切断操作する際、指環部の先側下辺部を切断対象物の表面に当て込むことができ、これにより、刃先部に付加される力が安定し、刃先部の切断対象物に対する食い込み量の調整がし易く、また、刃先部の滑りや逃げも生じ難く、安定した切断操作を行うことができる。更に、異物を削ぎ取る為にヘラのように使用する際にも、カッター本体部に対する手の滑りが生じず、必要な力に無駄がなく、安定した削ぎ取り操作を行うことができる。加えて、指環部を用いて壁等に掛けることができ、保管性も良く、また、デザインの斬新性も得られる。
【０００９】
また、前記指環部の先側下辺部が、該指環部の環状方向に沿って曲面状に形成されているものとすれば、この指環部の先側下辺部を切断対象物の表面に当て込んで切断操作する際、前記摺接が円滑になし得、切断操作がより安定化する。更に、前記指環部の先側下辺部の断面形状を略平坦とし、且つ該下辺部に繋がる両側辺部の少なくとも一方が該下辺部に対し略垂直に立ち上がった形状とした場合、先側下辺部を切断対象物の表面に当て込む際の安定性が増すと共に、定規等を使って切断操作する際、該下辺部より略垂直に立ち上がる側辺部を定規等の縁部に沿わせることによって、所望形状に沿った切断が正確且つ安定的になされる。また、前記カッター本体部が、刃体をスライド可能に収納保持する金属製のホルダ部と、該ホルダ部に外装された合成樹脂の成型体からなるグリップ部とよりなり、前記指環部はこのグリップ部に一体に形成されているものとすれば、金属製のホルダ部により剛性が付与され、また、合成樹脂の成型体によりグリップ部及び指環部が簡易に形成されると共に手指による把持感触が良くなり、加えて意匠性も向上する。
【発明を実施するための最良の形態】
【００１０】
以下に本発明の最良の実施の形態について、図面に基づいて説明する。図１は本発明のカッターナイフの一実施形態を示す正面図、図２は図１におけるＸ−Ｘ線矢視断面図、図３は同カッターナイフの使用状態を示す正面図、図４は他の実施形態の図１と同様図、図５は更に別の実施形態のカッターナイフの使用状態を示す正面図、図６は図５におけるＹ−Ｙ線矢視断面図、図７は図５におけるＺ−Ｚ線矢視断面図である。
【００１１】
図１乃至図３に示すカッターナイフ１は、グリップ部を兼ねるカッター本体部２と、このカッター本体部２にスライド可能に収納保持される刃体６と、刃体６の刃先部６ａをカッター本体部２の先端部より適宜突出操作させる為のスライダー７とを備えている。カッター本体部２は、刃体６をスライド可能に収納保持する金属製のホルダ部３と、該ホルダ部３に外装された合成樹脂の成型体からなるグリップ部４とよりなり、このグリップ部４の下部に複数本の指を挿入し得る指環部５が一体に形成されている。刃体６は替刃とされ、その基端部の係合孔６ｂに、スライダー７のピン７ａを係合させ、スライダー７のスライド操作によって、ホルダ部３の先端部３ａ（カッター本体部２の先端部）からその刃先部６ａの出幅調整が可能とされている。
【００１２】
ホルダ部３は刃体６をスライド可能に収納し得るよう、板金加工によって扁平筒状に形成され、その側部にはスライダー７のスライド溝３ｂが形成されている。このスライド溝３ｂの片側辺縁部には、波形のロック係止部３ｃが形成され、スライダー７に設けられた弾性ロック部材（不図示）をこのロック係止部３ｃに弾性係合させることにより、刃体６を適宜位置に係止ロックさせることができる。刃体６とスライダー７とは、上記ピン７ａを係合孔６ｂに係合させた状態でホルダ３の基端部より挿入され、スライダー７のスライド溝３ｂに沿ったスライド操作により刃体６の刃先部６ａの出幅調整が可能とされる。図１は、非使用時の状態であり、刃体６がホルダ部３内に完全に収納された状態を示し、使用時には後記するように、スライダー７をスライド操作して刃先部６ａがホルダ部３の先端部３ａより少許突出される。ホルダ部３の基端部にはキャップ８が着脱自在に装着され、このキャップ８を取外し、ホルダ部３の基端部よりスライダー7を刃体６と共に取出し、刃体６の取替等が可能とされている。
【００１３】
グリップ部４は、合成樹脂の成型体からなり、手指によって把持し得る形状・大きさとされ、ホルダ部３の上下及び背部（スライド溝３ｂの反対側）を覆うよう一体に外装されている。このグリップ部４のホルダ部３に対する外装一体化は、事前に板金加工されたホルダ部３を成型金型内に配置し樹脂成型と同時に行う場合の他、事前に成型されたグリップ部４を接着剤等によりホルダ部３の所定部位に貼着一体とすること、或いはグリップ部４をホルダ部３にビス止めすること、更にはホルダ部３をグリップ部４に差込んで一部をかしめること、等によってもなされる。このグリップ部４の先側上面の親指が添えられる部分は、その滑りを防止する為の凹凸面４ａとされている。グリップ部４の下部には、親指を除く４本の手指を挿入し得る指環部５が一体に形成されている。この指環部５の先側下辺部５ａは、後記するように切断操作時に切断対象物の表面に当て込んだ状態で当該表面上を円滑に摺接し得るよう、正面視して、即ち、指環部５の環状方向に沿って凸曲面状に形成されている。
【００１４】
上記構成のカッターナイフ１の使用例について図３を参照して述べる。図３に示すように、スライダー７をスライド溝３ｂに沿ってスライド操作して、刃体６の刃先部６ａをホルダ部３の先端部３ａより少許突出させる。親指を凹凸面４ａに添え且つ親指を除く４本の手指を指環部５に挿入してグリップ部４を把持する。このように、グリップ部４の把持は、４本の指を指環部５に挿入してなされるから、把持が確実になされ、不意にカッターナイフ１が落下するようなことがない。また、軍手をはめて作業する場合にも滑ることがなく何ら支障を来たさない。
【００１５】
そして、指環部５の先側下辺部５ａを切断対象物（ダンボール紙、厚紙、樹脂板、樹脂シート、木板等）ｍの表面に当て込むと共に、刃体６の刃先部６ａを当該切断対象物ｍに食い込ませる。このように、指環部５の先側下辺部５ａを切断対象物ｍの表面に当て込んだ状態で刃先部６ａを切断対象物ｍに食い込ませるから、先側下辺部５ａと切断対象物ｍの表面との当接点ｐが支点となり、これにより刃先部６ａの食い込み量の調整がし易く、安定した力を刃先部６ａに付与させることができる。また、切断対象物ｍが樹脂板や樹脂シートであっても、刃先部６ａの滑りや逃げを生じることなく食い込ませることができる。この状態で白抜矢示方向にカッターナイフ１を移動させると、上記先側下辺部５ａが上記のように曲面状に形成されているから、切断対象物ｍの表面を円滑に摺接し、刃先部６ａの切断対象物ｍに対する食い込み角度が一定し且つ刃先部６ａに対して力を入れ易い状態で切断操作がなされ、切断操作を安定した状態で行うことができる。
【００１６】
上記カッターナイフ１は、その本来の使用目的とは異なるが、ユーザーによっては、処理対象物の表面に付着する塗料や異物を削ぎ取る為にヘラの代用とし使用することがある。即ち、刃先部６ａを寝かせ、処理対象物の表面に宛がい、前方に押し出すように操作される。このような使用態様でも、手指が指環部５に挿入されているから、グリップ部４から手指が先側に滑り動いて外れるようなことがない為力が入れ易く、削ぎ取り操作の適性も向上する。また、指環部５は、非使用時に壁や衣類等に引っ掛ける為に使用することができ、保管や持ち運びにも便利である。
【００１７】
図４は、他の実施形態を示し、この実施形態のカッターナイフ１Ａは、指環部５が１本の手指（人差指）を挿入し得るようになされている点で上記実施形態と異なる。このカッターナイフ１Ａの使用に際しては、図示を省略するが、上記同様親指をグリップ部４の先側上面の凹凸面４ａに添え、人差指を指環部５に挿入し、他の指をグリップ部４の後方下部４ｂに宛がうようにして把持する。この把持状態で図３と同様に切断操作がなされる。この場合も、指環部５の先側下辺部５ａを切断対象物ｍの表面に当て込んだ状態で刃先部６ａを切断対象物ｍに食い込ませるから、上記と同様の作用・効果を奏する。その他の構成は上記と同様であるから、共通部分に同一の符号を付し、その説明を割愛する。
【００１８】
図５乃至図７は更に別の実施形態を示す。この実施形態のカッターナイフ１Ｂにおいては、主に、指環部５の先側下辺部５ａの断面形状とスライダー７の構造が上記実施形態と異なるが、その他の形状等は設計事項の範囲内で若干異なる程度である。即ち、指環部５の先側下辺部５ａは、その断面形状が図６に示すような曲率半径が大きい凸曲形状を含む略平坦な形状とされ、且つこの下辺部５ａに繋がる両側辺部５ｂ，５ｂが、下辺部５ａに対して略垂直に立ち上がるような形状とされている。また、スライダー７は、図７に示すようにホルダ部３のスライド溝３ｂに沿ってスライドするスライダーベース７ｂと、該スライダーベース７ｂに対してねじ部７ｃを介して螺装されたスライド操作ノブ７ｄとよりなる。スライダーベース７ｂの先側にはピン状突起７ｅが形成され、該ピン状突起７ｅは刃体６の基部に形成された係合孔６ｂにスライド溝３ｂの溝底側より挿入係合されている。ねじ部７ｃはスライド操作ノブ７ｄの回動操作により、スライダーベース７ｂに対して螺進・螺退が可能とされ、その先端はスライダーベース７ｂよりスライド溝３ｂの溝底側に突出し得るように構成されている。その他の構成は第１の実施形態に係るカッターナイフ１と略同様である。
【００１９】
上記構成のカッターナイフ１Ｂを用いて、切断対象物ｍを切断する場合、スライダー７の操作ノブ７ｄを回動操作してねじ部７ｃの螺装を緩め、スライダー７のスライド操作ノブ７ｄをスライド操作して刃体６の刃先部６ａをホルダ部３の先端部３ａより少許突出させる。この状態で操作ノブ７ｄを回動操作してねじ部７ｃを締め付けると、ねじ部７ｃの先端がスライド溝３ｂの溝底に当接緊合し、この反力で、スライダーベース７ｂと共に刃体６が反溝底側に持ち上げられる。これによって、刃体６がスライド溝３ｂの開口側縁部内面に押付けられてガタ付きが抑えられた状態で固定される。従って、切断操作時の刃先部６ａの安定化が図られる。そして、上記同様親指を除く４本の指を指環部５に挿入してグリップ部４を把持し、指環部５の先側下辺部５ａを切断対象物ｍの表面に当て込むと共に、刃体６の刃先部６ａを当該切断対象物ｍに食い込ませて、白抜矢示方向にカッターナイフ１Ｂを移動させることによって切断対象物ｍの切断がなされる。従って、上記同様、刃先部６ａの切断対象物ｍに対する食い込み角度が一定し且つ刃先部６ａに対して力を入れ易い状態で切断操作がなされ、切断操作を安定した状態で行うことができる。
【００２０】
この時、切断対象物ｍの上に定規ｒ等の切断基準部材を置き、この定規ｒの縁部に沿って上記切断操作を行うことが間々なされる。この場合、指環部５の先側下辺部５ａが、上記のように指環部５の環状方向に曲面状に形成されていることに加えてその断面形状が略平坦な形状とされているから、切断対象物ｍの表面を円滑に摺接すると共に、刃先部６ａが左右にフラ付くことなく安定的な切断がなされる。しかも、先側下辺部５ａに繋がる両側辺部５ｂ，５ｂが、下辺部５ａに対して略垂直に立ち上がるような形状とされているから、一方の側辺部５ｂを定規ｒの縁部に沿わせることによって、定規ｒを用いた切断操作が的確になされ、下辺部５ａの断面形状が略平坦状とされていることとも相俟って、所望形状に沿った切断が正確且つ安定的になされる。切断終了後は、スライド操作ノブ７ｄを回動操作して、ねじ部７ｃの上記スライド溝３ｂの溝底に対する当接緊合を解除すれば、刃体６をその刃先部６ａも含めてホルダ部３内に収納することができる。
【００２１】
尚、指環部５を、手指を２本若しくは３本挿入し得るものとすることは、可能であるが、この場合でも少なくとも人差指が挿入し得る位置に形成されるべきことが肝要である。また、カッターナイフ自体の構造は、従来公知のものが適用される。全体形状も図例のものに限定されず、意匠性等を勘案して適宜変更し得ることは言うまでもない。更に、図５乃至図７に示す実施形態において、側辺部５ｂ，５ｂの両方を、下辺部５ａに対して略垂直に立ち上げるよう形成しているが、この形成態様はどちらか一方であっても良い。
【図面の簡単な説明】
【００２２】
【図１】本発明のカッターナイフの一実施形態を示す正面図である。
【図２】図１におけるＸ−Ｘ線矢視断面図である。
【図３】同カッターナイフの使用状態を示す正面図である。
【図４】他の実施形態の図１と同様図である。
【図５】更に別の実施形態のカッターナイフの使用状態を示す正面図である。
【図６】図５におけるＹ−Ｙ線矢視断面図である。
【図７】図５におけるＺ−Ｚ線矢視断面図である。
【符号の説明】
【００２３】
１      カッターナイフ
１Ａ    カッターナイフ
１Ｂ    カッターナイフ
２      カッター本体部
３      ホルダ部
３ａ    先端部（カッター本体部の先端部）
４      グリップ部
５      指環部
５ａ    先側下辺部
５ｂ    側辺部
６      刃体
６ａ    刃先部
ｍ      切断対象物
【図１】
2008136844.tif 000003
【図２】
2008136844.tif 000004
【図３】
2008136844.tif 000005
【図４】
2008136844.tif 000006
【図５】
2008136844.tif 000007
【図６】
2008136844.tif 000008
【図７】
2008136844.tif 000009